(57)【要約】    【課題】  着用が容易で菌の付着機会が少ない医療用手袋の提供。    【解決手段】包装体の内部に手袋が密閉されており、前記手袋が、手袋構造体を二層以上積層したものであり、前記手袋が滅菌状態にあることを特徴とする包装された手袋、および手袋構造体を二層以上積層した手袋を包装体の内部に密閉し、その後滅菌操作を行うことを特徴とする包装された手袋の製造方法。    【選択図】  なし【特許請求の範囲】
【請求項１】
包装体の内部に手袋が密閉されており、前記手袋が、手袋構造体を二層以上積層したものであり、前記手袋が滅菌状態にあることを特徴とする包装された手袋
【請求項２】
前記手袋が開口部付近で外側に折り返されていることを特徴とする請求項１記載の包装された手袋。
【請求項３】
手袋構造体を二層以上積層した手袋を包装体の内部に密閉し、その後滅菌操作を行うことを特徴とする包装された手袋の製造方法。
【請求項４】
滅菌操作が放射線照射又は紫外線照射によるものであることを特徴とする請求項３記載の包装された手袋の製造方法。
【発明の詳細な説明】
【技術分野】
【０００１】
本発明は、包装され、滅菌された手袋およびその製造方法に関し、特に医療用の手袋およびその製造方法に関する。
【背景技術】
【０００２】
医療現場における医療作業者は、手術など多くの作業において、患者の血液、汗等に健康阻害物質を含む場合には医療作業者の保護の目的で、また医療作業者の手指に有する雑菌を患者に付与させないことを目的として、手袋を着用している。
【０００３】
さらに手袋が破損した場合、医療作業者および患者に対して悪影響をおよぼすおそれがあることから、医療作業者は第１の手袋を着用した後さらに第２の手袋を着用するという作業を行っており、その着用が容易な手袋が開示されている（特許文献１）。
【特許文献１】特表２００５−５２９６４１号
【発明の開示】
【発明が解決しようとする課題】
【０００４】
第１の手袋を着用した後さらに第２の手袋を着用するという作業は、容易になったとはいえ、やはり２度の着用作業が必要であること、また第２の手袋を着用する際に第１の手袋の表面と密着させることが簡単ではないという問題があった。医療現場をできる限り無菌化したとしとしても、着用作業に時間がかかることから、その間に雰囲気中の雑菌を手袋が取り込んでしまうという問題があった。
【０００５】
このような状況の下、本発明では、着用が容易で菌の付着機会が少ない医療用手袋を提供することを課題とするものである。
【課題を解決するための手段】
【０００６】
課題を解決するために本発明は以下の構成からなる。
（１）包装体の内部に手袋が密閉されており、前記手袋が、手袋構造体を二層以上積層したものであり、前記手袋が滅菌状態にあることを特徴とする包装された手袋、
（２）前記手袋が開口部付近で外側に折り返されていることを特徴とする前記の包装された手袋、
（３）手袋構造体を二層以上積層した手袋を包装体の内部に密閉し、その後滅菌操作を行うことを特徴とする包装された手袋の製造方法。
（４）滅菌操作が放射線照射又は紫外線照射によるものであることを特徴とする前記の包装された手袋の製造方法。  
【発明の効果】
【０００７】
本発明によれば、着用が容易で菌の付着機会が少ない医療用手袋が得られる。
【発明を実施するための最良の形態】
【０００８】
まず本発明の手袋についてついて説明する。本発明の手袋は手袋構造体を二層以上積層したものである。ここで手袋構造体とは手袋の形状を有するものをいう。手袋構造体を構成する材料としては弾性を有するものが好ましく、具体的にはゴムが好ましく、例えば天然ゴムや、ブタジエンゴム、イソプレンゴム、ネオプレンゴム、アクリルゴム、ポリウレタンゴム、塩化ビニルゴム、シリコーンゴムなどの合成ゴムが例示される。編み物のようなものでなく実質的に物質を透過しないものが好ましい。ただし水蒸気や空気だけは透過するものであってもよい。
【０００９】
また手袋の外面は滑り止めの目的でエンボス加工など非平滑性の面となっていることが好ましい。また手袋には右手用か左手用かを示す表示があると好ましい。
【００１０】
本発明の手袋においては、開口部、すなわち手指が入る部分の近傍で外側に折り返されていることが好ましい。折り返すことによって、作業者の装着が容易になる。
【００１１】
本発明の包装された手袋の状態では、包装体は手袋を密閉している。包装体の素材としては、手袋の滅菌状態を維持するために、物質を透過しない性質のものであることが好ましい。例えば、ポリオレフィン、ポリプロピレン、ポリ塩化ビニル、ポリ塩化ビニリデン、ポリフッ化ビニリデン、ポリ酢酸ビニル、ポリエステル、ポリアミドやこれらの共重合体等の合成樹脂からなるフィルムが好適に用いられる。さらに紙、不織布、織物、編物などの繊維構造体と前記フィルムとが密着した構造のものも好適である。
【００１２】
本発明の手袋は滅菌状態にあることが必要であり、そのための手袋の製造方法について説明する。まず手袋構造体を二層以上積層したものを準備する。好ましい手袋の態様は前に説明したとおりである。一方、包装体を準備する。包装体の素材については上述したとおりである。この段階の包装体の形状はシート状であっても、封筒状、袋状いずれであってもよい。シート状の場合、シート上の適切なところに手袋を配置し、素材を折り曲げ、必要な箇所を熱溶着や接着剤の使用等の手段により手袋を密閉する。封筒状、袋状の場合には開口部から手袋を挿入し、開口部を熱溶着や接着剤の使用等の手段により手袋を密閉する。
【００１３】
手袋を包装体の内部に密閉した後、滅菌操作を行う。滅菌操作としては、化学物質による手段、熱による手段、放射線や紫外線照射によるものが好ましい。包装体や手袋の性質を劣化させにくいという観点から放射線や紫外線照射による方法が好ましく用いられる。放射線としては、電子線、ガンマ線、Ｘ線が例示される。紫外線としては、波長が４００ｎｍ以下のものが好ましい。包装材および手袋自体の種類によっては、これら照射線を透過しにくく、手袋の滅菌が難しいものもあることから、適当なものが選択される。特にガンマ線、Ｘ線は包装体の素材によらず透過しやすいことから好適である。放射線や紫外線の照射量としては、滅菌するだけの量があれば十分であるが、ガンマ線を照射する場合、吸収線量として１０ｋ〜５００ｋＧｙ、好ましくは２５ｋ〜１００ｋＧｙの範囲が好適である。
【実施例】
【００１４】
ヒトの手指の形状を有する右手用型および左手用型を準備し、それぞれの型に対して天然ゴムからなる第１の手袋構造体を被装した。さらにそれぞれの第１の手袋構造体に対して天然ゴムからなる第２の手袋構造体を被装した。それぞれの型にある各手袋構造体の積層物の開口部付近の材料を外側に折り返し、そして手袋を型から取り外して、右手用、左手用手袋一対を作成した。
【００１５】
内包装用の紙にこの手袋一対をのせ、内包装用の紙で手袋一対を包装した。手袋一対を含む内包装を、紙からなる封筒状でピールオープン型の包装体に入れ、包装体の開口部を熱溶着して、手袋を密閉した。手袋を密閉した包装体に対して、ガンマ線を照射３０ｋＧｙし、滅菌操作を行い、目的とする包装された手袋を製造した。
【００１６】
包装材の端部を開封し、手袋を着用したところ、滅菌された一重の手袋を２回装着するよりも短い時間で装着でき、また短時間で装着できたことから、雰囲気中の雑菌の付着も少ないものとなった。